(57)【要約】【課題】  ローウエストタイプのズボン着用時のずり下がり防止に、肩より吊り下げるタイプのサスペンダーでは、ズボンを吊り下げるという軽負荷が常時肩に加わっているため肩がこるとか、肩から吊り紐がずり落ちるのが常に気になっているため、精神的なプレッシャーが加わった状態が続くものであった。【解決手段】  肩掛け式のサスペンダーではなく、腰部のくびれに腹部前面で連結するベルト式のサスペンダー１を締め、吊下げベルト４の挟着金具42を背部、腹部の所定位置に固定して、近接位置で骨盤上に上端を位置するズボンを吊り下げるものである。【選択図】        図２
0003102172.tif 000002
【実用新案登録請求の範囲】
【請求項１】
互いに連結可能に構成した両端部を除いて２重構造とした胴ベルトの重合空間部内に、両端に所定数のボタン穴31を設けた弾性ベルト３を配し、胴ベルト２の裏側両端部にボタン32を設け、該ボタン32に弾性ベルト３の所定位置ボタン穴31を係止すると共に、弾性材より成る細幅ベルト41の先端に挟着金具42を設け、中間部に調節金具43を配した吊下げベルト４を連結し、挟着金具とズボンを連結する構造を特徴とするローウエストタイプズボン用サスペンダー。
【考案の詳細な説明】
【技術分野】
【０００１】
本願はズボンのずり下がりを防止するサスペンダーに係るものであり、特には女性用のローウエストタイプズボンのサスペンダーに関するものである。
【背景技術】
【０００２】
従来より用いられているサスペンダーは、ファッション性の目的を有するものを除けば、肥満体で腹部の出っ張った体型の人、あるいは幼児のズボンがずり下がらないように用いるのが一般的な使用方法であった。これらは両肩から体の前後に吊り下げた、弾力性を有する細幅のベルト、紐等の先端に、ズボンの胴部上端を挟持して支持する金具を備えたものであった。
【特許文献１】特開平１０−３２５００８号公報
【考案の開示】
【考案が解決しようとする課題】
【０００３】
このような従来からのサスペンダーは、装着を容易にするため、あるいは装着時の快適さを求めて様々な形態のものが使用されてきた。
すなわち、背部の吊り紐は１本とし、肩部を越すまでの位置でＹ字状に分岐して腹部では２本となり２ヵ所でズボンの前部を吊るもの。また、背部、腹部の２本の吊り紐間をＨ字状に連結して、肩よりのずり落ちを防止するものなど、使用者の選択の幅を広げるため各種のものが用意されるものであった。
【０００４】
しかし、いずれの形態であろうとも、肩より吊り下げる形態においては、ズボンを下ろす必要のあるトイレ使用時には面倒なものであった。背部側の金具は固定したまま腹部側の金具を外してズボンとの連結を解くのが一般的に行われる動作のようであるが、この動作の前後に伴う吊り紐の処理が面倒となるものであった。
【０００５】
また、このようなズボンを下ろす必要がある時以外にも、肩より吊り下げるサスペンダーの使用によって様々な課題が生じていた。
ズボンを吊り下げるという軽負荷が常時肩に加わっているため肩がこるとか、肩から吊り紐がずり落ちるのが常に気になっているため、精神的なプレッシャーが加わった状態が続くとかである。
【０００６】
また、特に本願が解決課題とするところは、女性が股上の浅い、いわゆるローウエストタイプのズボン着用時のずり下がり防止に、肩より吊り下げるサスペンダーが使用しにくいという点である。ローウエストタイプのズボンは活動的な軽快さの中に美を表現する狙いがあるため、肩掛けのサスペンダーの使用はマッチせず、よって、ズボンがずり下がりやすい傾向があるものである。
【０００７】
ローウエストであるが故にその締着は骨盤上、つまり骨盤の周囲を締め付けることだけで行われており、歩行、着座など普通の動作においても、一般的なズボンに比してずり下がりが発生しやすいものであった。
また、ローウエストタイプのズボンは軽快さ、開放感を強調するためデニム等の生地で製作されることが多く、このような生地はしゃがむなど、大きな動作とともに除々に伸びるため、より一層ずり下がりが生じやすくなるものである。
【０００８】
また、このずり下がりが発生する他の要因に、日本人と欧米人の体型差の問題もあった。
ローウエストタイプのズボンの装着には臀部がある程度膨出した、いわゆるヒップアップ体型の欧米人的体型が要求されるため多くの日本人には向かないものであるが、流行に後れまいとする女性たちには何らかの手段を講じてもこれを履きたいという欲求があった。
【課題を解決するための手段】
【０００９】
以上のような課題を解決するため、本願ではサスペンダーを肩掛け式とせず、腰部に装着してズボンを吊り下げる方式を開示するものである。
つまり腰部のくびれに腹部前面で連結するベルト式のサスペンダーを締め、吊下げベルトの挟着金具を背部、腹部の所定位置に固定して、近接位置で骨盤上に上端を位置するズボンを吊り下げるものである。
【００１０】
また、胴ベルト２の構成は互いに連結可能な両端部を除いて２重構造とし、弾力性のある素材を用いた弾性ベルト３をこの空間内に挿通し、露出する両端部の所定位置で選択的に係止可能として弾性力の調節を行い、腰部への適度な締着力を持たせるものである。また腹背位置の所定部には装飾的な挟着金具を弾性素材で取付けるものである。
【考案の効果】
【００１１】
以上のように腰部のくびれに胴ベルト２を締め、その吊下げベルト４の挟着金具42にローウエストタイプのズボンの上端を近接位置で連結支持することのできる本願サスペンダーにより、肩のこり、吊り紐のずれを気にすることなくズボンのずり落ちを防止できるものである。
【００１２】
また、トイレの使用などにおいても、吊下げベルトの挟着金具を操作してズボンとの連結を解くだけで、従来のように肩に掛けたサスペンダーの先端を気にしたりすることがなくなるものであり、またズボンを履く際にもその吊り下げ支持が容易にできるものである。
【００１３】
また、挟着金具は胴ベルト２所定位置に弾性素材で連結しているため、上体を前後に動かす動きにもサスペンダー１とズボンが別動して両者の連結が外れるようなこともない。
【００１４】
また、サスペンダー１の腰部への締着を胴ベルト２内に重合した弾性ベルト３により行うので、腰部への締着位置が確実に保持される。
【実施例】
【００１５】
本願の実施例を詳記すると、互いに連結可能な両端部を除いて２重構造とし、一端にボタン21を設け、他端にボタン穴22を設けた胴ベルト２の空間内に、一端に一個、他端に複数個のボタン穴31を設けた弾性ベルト３を配し、胴ベルト２の裏側両端部にボタン32を設け、該ボタン32に弾性ベルト３の所定位置のボタン穴31を係止すると共に、弾性材より成る細幅ベルト41の先端に挟着金具42を設け、中間部に調節金具43を配した吊下げベルト４を連結した構造である。
【００１６】
本願サスペンダー１の胴ベルト２に内蔵した弾性ベルト３には、複数のボタン穴31を設けているので、ＭサイズからＬサイズのフリーサイズとすることができる。また、空腹時の胴周りの変化によっても、微調節が可能であり、腰部への締着位置が確実に保持される。
また、本願は、カラーリングによって、衣服の上に装着することも可能である。
【００１７】
本願の胴ベルト２と、弾性ベルト３とはボタン32止めとしているが、片方を胴ベルト２に縫製連結することも可能である。
【００１８】
本願は図４のように、腰部のくびれに胴ベルト２を取付け、吊下げベルト４の挟着金具42でズボンの上端部を挟んで取付けるものである。
よって、前記段落００１２で説明した方法と異なるが、トイレでズボンを下ろす時は、胴ベルト２のボタン21を外すことによりズボンと共に連結したまま下ろすことができ、脱着が簡単である。
【図面の簡単な説明】
【００１９】
【図１】本願ローウエストタイプズボン用サスペンダーの表面正面図。
【図２】本願ローウエストタイプズボン用サスペンダーの裏面正面図。
【図３】本願ローウエストタイプズボン用サスペンダーの裏面一部拡大正面図。
【図４】本願ローウエストタイプズボン用サスペンダーの使用状態正面図。
【符号の説明】
【００２０】
１    サスペンダー
２    胴ベルト
３    弾性ベルト
４    吊下げベルト
21    ボタン
22    ボタン穴
31    ボタン穴
32    ボタン
41    細幅ベルト
42    挟着金具
43    調節金具
【図１】
0003102172.tif 000003
【図２】
0003102172.tif 000004
【図３】
0003102172.tif 000005
【図４】
0003102172.tif 000006